(57)【特許請求の範囲】
【請求項１】
露光され、次いで、可視画像を形成する画像領域に処理流体を均一に広げるように、圧力付与ローラ間でフィルムユニットの前端から後端の方へと移動することによって潜像処理をして、可視画像を形成するように構成されている自己現像フィルムユニットであって、
一体的な拡散転写型に構成された受像層および感光層を有し、前記受像層が前記感光層に対してフィルムユニットの厚さ方向に間隔を空けて配置され、前記感光層が潜伏写真画像を形成するために露光可能に構成された、自己現像型の画像記録手段と、
略シート状に形成され、前記画像領域を規定する開口部を有し、前記開口部に前記受像層を取付け、かつマスクの前端部および後端部を折り返して該前端部および後端部をそれぞれ前記感光層の前端部および後端部に取付けているマスクと、
前記受像層と前記感光層との間に前記処理流体を通過可能とする処理空間を提供するように、フィルムユニットの前後方向と直交する方向に間隔を空けて、かつ前記マスクの周縁部に沿って配置される一対の細長レールと、
前記マスクの前端部に沿って配置され、かつ前記処理流体を前記処理空間に供給可能に構成された、前記処理流体用の破断可能な容器を有する処理流体供給手段と、
前記マスクの後端部に沿って配置され、かつ前記処理空間を通って移動する処理流体を収集可能に構成された流体トラップ手段と、
フィルムユニットの厚さ方向における前記受像層と前記処理流体供給手段との間に配置され、少なくとも１つの流体活性化接着層を有し、かつ前記レールと実質的に同じ厚さを有するストリップと
を備え、
前記ストリップが前記圧力付与ローラ間を通過する際に、前後方向に直交する方向におけるフィルムユニットの外表面全幅と前記圧力付与ローラとの間におけるギャップゾーンのギャップがゼロとなるように構成されている、フィルムユニット。
【請求項２】
フィルムユニットの厚さ方向における前記受像層と前記トラップ手段との間に配置され、少なくとも１つの流体活性化接着層を有し、かつ前記レールと実質的に同じ厚さを有するストリップをさらに備えている請求項１に記載のフィルムユニット。
【請求項３】
前記ストリップに沿って脆弱部として形成されるスコアラインをさらに備えている請求項１または２に記載のフィルムユニット。
【請求項４】
前記ストリップがテープおよび該テープに接着した接着層を備えている、請求項１〜３のいずれか一項に記載のフィルムユニット。
【請求項５】
前記テープに切欠きが付いている、請求項４に記載のフィルムユニット。
【請求項６】
露光され、次いで、可視画像を形成する画像領域に処理流体を均一に広げるように、圧力付与ローラ間でフィルムユニットの前端から後端の方へと移動することによって潜像処理をして、可視画像を形成するように構成されている自己現像フィルムユニットであって、
一体的な拡散転写型に構成された受像層および感光層を有し、前記受像層が前記感光層に対してフィルムユニットの厚さ方向に間隔を空けて配置され、前記感光層が潜伏写真画像を形成するために露光可能に構成された、自己現像型の画像記録手段と、
前記受像層と前記感光層との間に前記処理流体を通過可能とする処理空間を提供するように、フィルムユニットの前後方向と直交する方向に間隔を空けて、かつ前記画像記録手段の周縁部に沿って配置される一対の細長レールと、
一対の弾性可撓性シートを重ね合わせて作製され、前記画像記録手段を前記一対の弾性可撓性シートにより挟むように前記画像記録手段の前端部に取付けられ、かつ前記処理空間と流体連通する第一の流体密連結手段と、
一対の弾性可撓性シートを重ね合わせて作製され、前記画像記録手段を前記一対の弾性可撓性シートにより挟むように前記画像記録手段の後端部に取付けられ、かつ前記処理空間と流体連通する第二の流体密連結手段と、
前記第一の流体密連結手段における一対の弾性可撓性シートの間に配置され、かつ前記処理流体を前記処理空間に供給可能に構成された、前記処理流体用の破断可能な容器を有する処理流体供給手段と、
前記第二の流体密連結手段における一対の弾性可撓性シートの間に配置され、かつ前記処理空間を通って移動する処理流体を収集可能に構成された流体トラップ手段と、
前記受像層および前記感光層の前端部に配置され、少なくとも１つの流体活性化接着層を有し、かつ前記レールと実質的に同じ厚さを有するストリップと
を備え、
前記弾性可撓性シートは、折り畳み可能な巻取り可能な材料から作製されて、折り畳みおよび展開を容易にし、かつ該フィルムユニットの折り畳みの間に、折り畳みの巻取り作用を可能にしており、
前記一対の可撓性シートを重ね合わせた厚さが、前記レールの厚さとほぼ等しくなっており、
前記ストリップが前記圧力付与ローラ間を通過する際に、前後方向に直交する方向におけるフィルムユニットの外表面全幅と前記圧力付与ローラとの間におけるギャップゾーンのギャップがゼロとなるように構成されている、フィルムユニット。
【発明の詳細な説明】
【０００１】
（関連特許出願の引用）
本願は、同時係属中の同一人に譲渡された、１９９９年１０月１０日に出願された米国特許出願番号６０／１５６，９８４に関する。
【０００２】
（発明の背景）
本発明は、一般に、写真フィルム組立体に関し、そしてより具体的には、使用者が使用済みのポッドおよびトラップを画像保有部分から分離することを可能にするため、ならびにポッド、トラップおよび画像領域の取り外された端部を密封して、試薬の漏出を防止し、そして画像の欠損を防止するための、既存の自己現像フィルム組立体の改造に関する。
【０００３】
自己現像型のもとの写真フィルム組立体は、一般に、いわゆる「剥離」バージョンとして分類される。剥離バージョンにおいて、使用者は、画像保有部分をこの組立体から剥し、一方で試薬のポッド領域およびトラップ領域は、そこからの画像保有部分の分離の後に、処分されるフィルム組立体と共に残る。このようなインスタントフィルムの後のバージョンは、いわゆる「一体型」フィルムを備える。種々の一体型フィルムの形式が、一般に、米国特許第３，４１５，６４５号；同第３，６９５，８８４号；同第３，８３３，３８２号；および同第５，８８８，６８３号に記載されている。例えば、このようなフィルム組立体は、潜像の現像を開始する処理流体の貯蔵、撒布、収集、および保持を可能にする。特に、フィルム構造の観点から、各フィルムユニットは、一般に、潜像を捕捉する感光性シート；現像した画像を生じるためのポジ受容シート；および処理流体を含む化学試薬系を備える。この処理流体は、拡散転写を開始するために、感光シートとポジシートとの間に放出および分配されるために、破断可能な容器またはポッドに貯蔵され、そしてトラップが使用されて、処理済み流体をフィルムユニットの制限内に捕捉する。このフィルムユニットは、感受性の化学成分を取り扱いおよび処理の間安全に保存するため；このような化学物質が分解せずに所望の現像を引き起こすことを補償するため；ならびに化学物質の漏出および／または汚染を防止するために、機能する。
【０００４】
これらのフィルムユニットに関連する多数の利点の１つは、使用者が、露光の後に、不必要となったポッド部分およびトラップ部分を処分する必要がないことである。なぜなら、トラップ部分は、単一のフレーム内に好都合に小型にパッケージされているのみではなく、マスキング材料によって視野からマスクされているからである。このようなユニットは、想像され得るように、非常に人気があり、そして市場で成功する。
【０００５】
このことに起因して、かなりの資本投資が、フィルム機械の製造および受容に合うために必要な安全製造要件のための全体の処理工程の道具に対してなされた。しかし、上記のことにかかわらず、一体型フィルムの使用者が、使用済みのポッド部分およびトラップ部分を画像保有部分から容易に除去し；これによって画像保有部分を、３５ｍｍを越えるようなフィルム印刷が現れるように残すことを可能にすることが望ましい。流体の漏出から密封された別個の部分を有することもまた、望ましい。
【０００６】
当該分野の以前の努力は、使用者が、ポッドおよびトラップを一体型フィルムから除去すること、ならびに別個の部品の端部を密封することを可能にする。このようなものの例は、上記出願、および米国特許第４，６９３，９６３号に記載されている。しかし、これらの試みは、比較的より複雑なフィルム構成に到達する際に、比較的多くの資本投資を必要とし、そしてさらなる資本投資を、このようなフィルムを製造するための多数の新たな処理工程の新たな機械および道具のために必要とする。
【０００７】
以前は、得られる改変されたフィルムバージョンが、構造が単純であり、かつ画像部分ならびにポッドおよびトラップが除去されて密封され得るための、既存の一体型フィルム構成の容易な改造に対するアプローチは、公知ではなかった。さらに、改造されたフィルム構造体を製造するために、わずかに改変されることのみを必要とする、既存のフィルム機械を使用して上記のことを達成するための、公知のアプローチは存在しなかった。
【０００８】
（発明の課題）
本発明の課題のうちでも、フィルムフレームのポッド部分とトラップ部分との両方の分離を可能にするが、分離されたフィルム部分（ポッド、トラップ、および画像領域を含む）の端部を密封する、改善された自己現像型のフィルム組立体を提供することである。
【０００９】
本発明の別の課題は、このような分離および密封の機能を達成するが、既存のフィルム形式を実質的に変化させないような、上記の型のフィルム組立体を提供することである。
【００１０】
本発明の別の課題は、種々の既存の一体型フィルムシステムおよび大きさの容易な改造を可能にする観点で、高度に用途が広い、改善されたフィルム組立体を提供することである。
【００１１】
本発明の別の課題は、このような変化していない既存のフィルム形式を、既存の方法およびシステムを実質的に変化させずに製造することを可能にする方法を提供することである。
【００１２】
本発明の別の課題は、その構成が、試薬または処理流体の、ポッドからトラップまでの、画像領域を除く全ての位置での流路を効果的に密封し、その結果、引き裂き後に、ポッドセグメントおよびトラップセグメントを切断するかまたは他の様式で除去することを可能にし、画像領域の縁部が、流体の漏出に対して密封され得、可能な画像人工物が排除され得；そして引き裂かれたかまたは切断されたポッドおよびトラップの縁部が、処理流体の漏出に対して密封される、フィルム組立体を提供することである。
【００１３】
本発明の別の課題は、機能におけるかなりの変化が、非常に経済的な様式で実現され得、ポッドおよびトラップの分離、ならびにこれらの自由端および好ましくは画像領域の、付随する頑丈な密封を可能にする構成に到達するために、フィルム構造に有意な変化を必要としない、フィルムを提供することである。
【００１４】
本発明の上記および他の課題、ならびに適用性のさらなる範囲は、その詳細な説明を、図面と組み合わせて読むことによって、明らかとなる。図面において、同様の参照は、そのいくつかの図にわたって同様の構造を示す。
【００１５】
（詳細な説明）
自己現像内蔵型の従来技術のフィルムフレーム組立体１０（例えば、Ｐｏｌａｒｏｉｄ  Ｃｏｒｐｏｒａｔｉｏｎ，Ｍａｓｓａｃｈｕｓｅｔｔｓ，ＵＳＡから市販されている）を例示するために、図１および２を参照する。示されるように、そのフィルムフレーム組立体１０は、本質的に、長方形の感光性またはネガティブ要素１２、長方形の透明なポジティブ受像シート要素１４を備え、これは、白い表面１９を有するポリエステルの長方形マスキングシート１８の内部金属化表面１６に接着して固定されている。長方形の開口部２０は、マスキングシート１８に提供され、拡散転写プロセスの結果として形成された処理された像を観察できるようにする。説明されるように、開口部の軸の長さは、本発明の結果を達成する目的で減少させられる。これらの成分は、当該分野で周知の種々の材料からできている。
【００１６】
１組の同一の長手方向に延びるレール２２は、シート１４の長手方向のそれぞれの縁に接着して連結している。それらは、示されるように、ポッドゾーンまたは部分２４のあたりから流体トラップゾーンまたは部分２６まで延びている。ジャンプテープ要素２８のほぼ長方形の一片は、ポッドゾーン２４に接着して固定されている。破断可能なポッド３２は、公知の様式で、マスキングシート１８の一端に固定される。ポッドテープ３４の断片は、その一端が、マスキングシート１８の端に固定され、そして見たとおり通常折り畳まれ、そうして他方の端部分がネガティブ１２の非画像化表面に固定されている。ポッドテープ３４は、ポッドテープがその上に折り畳まれる場合、ポッド３２を囲みそして包むための大きさにされた要素である。ポッドテープは、マスキング材料（ポッドテープが使用されない場合にはこれが使用される）よりも安価であるので、使用される。ポッドテープ３４の縁は、受容シート、ジャンプテープ、およびレールの周縁の端に固定され、流体密着閉鎖を形成する。
【００１７】
従来のトラップアセンブリ３６は、マスキングシート１８の金属化表面１６に固定され、そしてその長手方向の長さは、レール２２まで延びて、それに固定されている。トラップ部分２６は、端部分がネガティブ１２の非画像化側に実質的に熱融着されたマスキングシート１８の、折り畳まれた端部分によって規定される。トラップ部分の流体密着閉鎖を提供するために、トラップアセンブリ３６を、レール２２の上部表面に公知の様式で熱融着する。上記の構成がポッドとトラップとを分離させないことが理解される。
【００１８】
上記のフィルム構築とは対照的に、本発明の改善されたフィルム組立体１１０の例示のために、図３および４を参照する。この特別の局面において、上記の実施形態に類似する本実施形態の構造が、同じ参考番号であるが、番号の前に「１」の付いたものによって表される。そのフィルム組立体１１０は、説明されるように、上記の従来技術と比較してわずかに改変されているに過ぎない。なおこのようなわずかな改変にもかかわらず、使用者が簡単に手動で、画像化領域からのポッドとトラップ部分（１２４および１２６）の両方を引き裂き得るという改善されたフィルムアセンブリに対するただし書きがなされる。手動の分離または引き裂きは、現在、上記のタイプの公知のフィルムでは達成され得ないことが理解される。さらに、このような改変は、ポッド部分、トラップ部分、および画像領域の自由端で、堅固な流体密封を形成させる。改変されたフィルム組立体１２０は、既存のカメラにおける使用のために意図され、実質的に同じプロセス工程および同じ材料を使用して、既存のフィルム機構によって作製され得ることが指摘される。結果として、フィルムへのかなりの変化が、ポッドとトラップの分離を可能にする構成、ならびにその自由端ならびに好ましくは画像領域の堅固な密封を同時に到達するために、フィルム構造に対する有意な変化を必要としない非常に経済的な様式で実現され得る。
【００１９】
しかし、この実施形態の本質的な相違は、画像領域の端に隣接して実質的にクリアランスのないいわゆる「ゼロギャップ」ゾーン１７０、１７２の創作である。すなわち、スプレッドローラのニップのフィルム構成要素の間に、ゼロギャップゾーンを通過する際に、実質的に空気のギャップがない。ゼロギャップゾーン１７０、１７２は、好ましくは、処理流体およびスプレッドローラ（示さず）によって発揮される圧力に供されたときに、堅固な流体密封をもたらす流体活性化接着剤で処理される。ゾーン１７０は、トラップの端からジャンプテープの像縁へと延びる。ゾーン１７２は、ポッドのフレーム端からポッドテープの像縁へと延びる。これらの密封されたゾーンは、使用者がそれに沿って引き裂いて、それによって所望の引き裂きまたは分離の作用をもたらすのに十分もろい弱められた部分で形成される。これらの特定の端の近くで、ジャンプテープ１２８が、好ましくは、アルカリ活性化接着剤（例えば、ＧａｎｔｒｅｚＴＭ）の薄い層１７４で被覆される。流体活性化接着剤の他のタイプが、使用のために意図され、他の接着剤のタイプ（例えば、熱または圧力）もまた意図される。ジャンプテープ１２８および接着層１７４の組み合わされた厚さは、レール１２２の厚さの高さと実質的に等しいものである。さらに、ジャンプテープおよび被覆された接着層の厚さは、好ましくは、実質的に均一である。ジャンプテープ１２８は、レールをジャンプテープ上に載せる代わりに、レール１２２を収容する溝１２９を提供される。減少した幅の部分でジャンプテープ１２８は、フィルムの実質的な幅を横断して実質的にレール１２２の間に延びる。さらに、ジャンプテープ１２８は、従来技術のバージョンにおいて延びるであろう距離と比較して、増大した量で長さ方向に内側に延びる。長さの増大についての理由は、圧力ローラ（示さず）が、そのローラがポッドを通過して破裂した後にジャンプテープに嵌合することを確実にすることである。そうであるから、ジャンプテープは、処理流体流の移行を平滑化するその機能を継続する。さらにこの点について、その窓または開口部１２０は、軸方向の長さが、ジャンプテープ１２８の長さが延びるのとほぼ同じ距離だけ減少する。圧力ローラの接触は、処理流体の均一な広がりを維持し、そして明らかになる理由によりゼロギャップゾーンを延長する。トラップ端のジャンプテープが、そのレールを収容する溝を有する必要がなく、そのレールがジャンプテープの側方端にわたって延びゼロギャップゾーンを越えることを可能にし得ることが注目される。
【００２０】
したがって、フィルムが圧力ローラのニップ（示さず）を通過するとき、ポッドは破裂し、そして処理流体がそこから流れ出してアルカリ活性化接着層１７４を超えて通過する。処理ローラの圧力が、活性化接着層１７４のネガティブおよびパッドテープとの嵌合をもたらす。その結果として、パッドゾーン１２４は、堅固に密封される。
【００２１】
トラップゾーン１２６は、レール間および重ね合わされたシートとネガティブとの間から流れる処理流体が、トレイリングジャンプテープ上の接着層１７４を活性化し、そして処理ローラの圧力が層１７４がトラップに接着するようにするときは密封される。レールは、フィルムユニットのトラップ端の近くのジャンプテープを通過し得ることに注意する。
【００２２】
ポッドおよびトラップの引き裂きをもたらすために、ゼロギャップゾーンが、弱められた部分（例えば、通常、ネガティブ、被覆された接着層、ジャンプテープ、レール、マスク、およびシートのいくつかまたは全てにおいて互いに垂直に配置されているもろいスコアライン１７６）を有する組立てられた条件において提供される。スコアラインまたは穿孔は、任意のパターンおよび深さで、任意の様式で作製され得る。好ましくは、そのスコアラインは、密封されたポッドとゼロギャップのトラップゾーンの中間に配置される。スコアラインは、密封されたゼロギャップゾーンの容易な分離を可能にする。
【００２３】
図５および６は、ポッドとトラップが取り外され得、そしてそのようなポッドの自由端、トラップ、および画像領域が処理流体漏洩に対して密封され得るように改造された自己現像フィルム組立体２００の別の好ましい実施形態を例示する。ポジティブ受像シート２０２は、長方形の窓２０６（これを通して像を観察することができる）を有する細長いマスキングシート２０４に接着して結合される。ネガティブ２０８は、受容シート２０２に対して重ね合わされた関係で配置される。レール２１０の対は、フィルムの長軸方向の縁に沿ってネガティブの上に固定されそして配置され、そしてそれらの反対する自由端は、受容シートに固定される。観察されるように、ポッドとトラップのぬらすことができる接着性シーラントストリップ２１２、２１４の対は、像窓２０６の前端および後端に隣接するシート２０２に接着される。シーラントストリップ２１２、２１４の各々は、アルカリ活性化接着層（示さず）をその上に有するジャンプテープから構成され得る。他の接着剤が使用され得、そしてジャンプテープの代わりに他の材料が使用され得る。スコアライン２１６は、以下に記載される理由によりストリップの長軸に沿って延び得る。スコアライン以外の他の弱められた部分（例えば、穿孔）が使用され得る。ネガティブ２０８の反対の端は、示されるように、シーラントストリップ２１２、２１４の一部に固定される。トラップゾーン２１８が折り畳まれる場合、マスク材料がネガティブの一端およびレール２１０に固定され、一方流体トラップ２２０がストリップ２１４の一部を被覆するように配置されることに注意する。ポッドテープ２２２は、マスク２０４の一端に固定され、そして折り畳まれたときに、ポッド２２４、レール２１０およびネガティブ２０８を被覆しそしてそれに固定され、それによりポッドゾーン２２６を生じる。
【００２４】
以前の実施形態におけるように、シーラントストリップ２１２、２１４は、レールと実質的に同じ厚さを有し、それによりそれらが処理ローラにより発揮された圧縮力に供された場合、ゼロギャップのゾーンを作製する。そのゼロギャップ領域は、処理流体がストリップ上の接着剤を活性化し、そしてローラによって発揮された圧縮力が活性化された表面をそれらの相互に対面するフィルム構成要素と嵌合することを強制した後に、密封される。スコアライン２１６は、ストリップ２１２、２１４を通してのみでなくレール、シート、およびマスクを通しても延び、そしてポッドおよびトラップが画像領域から引き裂かれることを可能にする。したがって、そのポッドおよびトラップゾーン（２２６および２１８）は、それぞれ、容易にスコアライン２１６に沿って引き裂かれ得、これは、記載されるように、密封ストリップの中間に形成される。結果として、ポッドとトラップの両方のその自由端は、流体漏洩ならびに画像領域の自由端に対して密封される。
【００２５】
図７は、そのフィルムの密封および容易な分離を可能にする様式で改造された自己現像フィルム組立体３００のなお別の実施形態を例示する。このフィルムは、同一人に譲渡された米国特許第５，８８８，６８３号に記載されるものと類似し、そしてその特定のフィルム構築の記載は、本明細書に組み込まれそしてその一部をなす。
【００２６】
この実施形態において、フィルム組立体は、シーラントストリップ３０２および３０４の対を提供される。シーラントストリップ３０２および３０４は、平行の距離を隔てられたレール３０６の間を横断して延びるように追加される。シーラントストリップ３０２および３０４は、アルカリ活性化接着上部表面層（示さず）を有する、前に記載されたジャンプテープと同じ材料でできている。シーラントストリップは、それらが意図される様式でかつ本実施形態のフィルム構造の環境で機能し得る限り、種々の材料から作製され得る。シーラントストリップ３０２、３０４は、上記のゼロギャップのゾーンを円滑にする目的で、レールと実質的に同じ厚さを有する。被覆された流体活性化接着層は、処理流体との嵌合および圧力またはスプレッドローラによって発揮される圧力の適用の後に、密封作用をもたらすように作用する。ストリップ３０２および３０４は、それらのそれぞれの長軸に沿って延びるスコアライン３０７を有する。これは、この実施形態において、フィルム組立体３００の軸方向の長さに対して横に延びる。さらに、スコアリングはまた、レール３０６、ならびに画像領域３１２を形成する重ね合わされたネガティブ３０８および受容シート３１０を通して延びる。全てのスコアラインは、ポッドおよびトラップ部分、それぞれ３１４、３１６を、画像領域３１２から引き裂くかまたは分離し得る使用者の能力を増強するために、互いにほぼ垂直に配置される。ポッドおよびトラップ部分３１４、３１６には、マスキングまたは連結ストリップ３２２および３２４それぞれに対応する対の間に挟まれているポッド３１８およびトラップ３２０を含む。連結ストリップは、ポッドから画像領域への、および画像領域からトラップへの処理流体のための流体路を規定する。連結ストリップは、示されるように、スコアラインを除いて、それらのそれぞれの端がネガティブおよび受容シートに結合している。処理流体が、シーラントストリップ上の流体活性化接着層を活性化すること、およびこれらの領域およびフィルムにおけるそれらの相互に対面している表面（ネガティブおよび受容シート）が互いに圧縮されて、その上にかけられる圧力がフィルム処理の間に圧力ローラ（示さず）によってかけられた後に、堅固な密封を提供することが理解される。以前の実施形態におけるように、接着剤を運ぶシーラントストリップの表面領域は、ゾーンギャップのゾーンが、レールの間のフィルムの幅に実質的に沿うにするのみならず、ローラによって発揮される圧力がフィルムを圧縮して、堅固なシーリングをスコアライン３０７の両側において確実にする十分な寸法のために軸方向になるような大きさにされる。したがって、ゼロギャップのゾーンは、圧縮されるように結合シートまたはマスクの間に延び、それにより、スプレッドまたは圧力ローラからの圧力によって圧縮された場合に、密封を提供する。したがって、使用者がスコアライン３０７に沿ってフィルムを剥がした場合、画像領域の自由端が密封されるのみならず、ポッドおよびトラップ部分の自由端も密封される。当然に、弱められたゾーンの穿孔または他の領域が、スコアリングの代わりに使用され得る。
【００２７】
本発明の種々の改変および適合が当業者に容易に明らかになる。本発明の原理が、上記のフィルムシステムを改造することに適用されてきたが、本発明は、そのようには限定されず、そしてそのような原理は、他の公知の内蔵型フィルムユニットに適用され得る。
【図面の簡単な説明】
【図１】  図１は、本発明の改変をしていない自己現像フィルム組立体の従来技術の概略図である。
【図２】  図２は、図１に示すフィルム組立体の概略側面図である。
【図３】  図３は、本発明の原理に従って改変された自己現像フィルム組立体の１つの好ましい実施形態の一つの型の概略平面図である。
【図４】  図４は、図３に示す実施形態の概略側面図である。
【図５】  図５は、本発明の原理に従って改変された自己現像フィルム組立体の異なる型の別の好ましい実施形態の概略平面図である。
【図６】  図６は、図５に示す好ましい実施形態の概略側面図である。
【図７】  図７は、本発明の原理に従って改変された自己現像フィルム組立体の異なる型のなお別の好ましい実施形態の概略平面図である。
【図１】
0004787458.tif 000002
【図２】
0004787458.tif 000003
【図３】
0004787458.tif 000004
【図４】
0004787458.tif 000005
【図５】
0004787458.tif 000006
【図６】
0004787458.tif 000007
【図７】
0004787458.tif 000008